(57)【要約】【課題】  ベランダや建築構造物に飛来して営巣しフン害を及ぼす鳩の害を防ぐ鳩害防止装置に関するもので、店頭販売が可能になるように構成品を一体としたものを提供する。【解決手段】サイズを１ｍ、１．１ｍ、１．２ｍ、などに寸法決めしカットされた中空パイプ１と、この中空パイプ１を両端で支持するブラケット２、２｀とからなりに前記両ブラケット２、２｀に中空パイプ１の径より大きい底付き穴６，６｀を形成する。底付き穴６，６｀の底に小穴７，７｀を設け、両小穴７，７｀を落下防止用ワイヤーロープ３の通し穴とする。ブラケット２と２｀と中空パイプ１、両小穴７，７｀に落下防止用ワイヤーロープ３を貫通する。この落下防止用ワイヤーロープ３の両端部はアイリング加工５，５｀を施し抜け止めとする。両アイリング加工５，５｀の少なくとも片方にベランダ手摺り８、又は物干金物１０に固定するための固定用フック４を取り付け一体とする。【選択図】図２
2019106978.tif 000002
【特許請求の範囲】
【請求項１】
中空パイプ１とこの中空パイプ１を両端で支持するブラケット２，２｀とからなり、両ブラケット２，２｀に中空パイプ１の径より大きい底付き穴６，６｀を形成し、この底付き穴６，６｀の底に小穴７，７｀を設け、両小穴７，７｀に落下防止用ワイヤーロープ３を貫通させ、この落下防止用ワイヤーロープ３の両端部はアイリング加工５，５｀を施し抜け止めとする。両アイリング加工５，５｀の少なくとも片方に、ベランダ手摺り８に固定するための固定用フック４を取り付けた事を特徴とする鳩害防止装置。
【請求項２】
ブラケット２，２´はＬ型又は逆Ｔ字型形状をなし，ベランダ手摺りに結束バンド９で取り付け易くした、請求項１記載の鳩害防止装置。
【請求項３】
笠木仕様のベランダ手摺りに取り付け得るようにブラケット２，２｀の裏面に粘着両面テープ１０を備えてなる請求項１又は，請求項２記載の鳩害防止装置。
【発明の詳細な説明】
【技術分野】
【０００１】  建造物及びマンションのベランダ手摺り等に飛来しフン害や営巣される事を防ぐ事を目的とした手摺り型装置に関するもので、装置を出来るだけ単純化し、取り付けを簡単にし十分に効果を発揮できる装置に関する。
【背景技術】
【０００２】  従来より建造物やベランダ手摺り等に飛来する鳩除け対策として磁気装置、針金装置、ネット装置等が考案され、試行されたが、鳩自身の学習力により徒労に帰する場合が多かった。回転軸を用いた公知の技術文献も存在するが、構造が複雑なものが多く、取り付けに専門的知識、専門工具が必要であり、かつ構造は合理的ではあるが、取り付け部を傷付けることになって賃貸マンション等の使用にそぐわないと考えられるため、ほとんど使用されていないのが現状である。
【先行技術文献】
【０００３】
【特許文献１】特開２００７−１０４９５３号広報
【発明の概要】
【発明が解決しようとする課題】
【０００４】  従来より鳩の営巣、フン害の対策としてある針金装置、磁石装置、剣山状装置、を用いたものは鳩の学習力により効果が期待できる期間が短く又、鳩ネットも効果的であるが設備費が高額であり、採用をためらう事が多かった。その為、鳩の飛来を受けたマンションのベランダは営巣によるフン害や手摺に止まった鳩のフンが階下に落ちて近隣のトラブルになる事がマンション管理の悩みの種になっていた。本発明はこのような欠点に鑑みてなされたもので、構造が簡単で、取り付けも簡単であり容易に手摺り金物に取り付け得る鳩害防止装置を提供する事を目的とするものである。
【課題を解決するための手段】
【０００５】  上記目的を達成するために本発明は中空パイプ１とこの中空パイプ１を両端で支持するブラケット２，２｀とからなりに、両ブラケット２，２｀に中空パイプ１の径より大きい底付き穴６，６｀を形成する。底付き穴６，６｀の底に小穴７，７｀を設け、両小穴７，７｀に落下防止用ワイヤーロープ３を貫通させ、この落下防止用ワイヤーロープ３の両端部はアイリング加工５，５｀を施し抜け止めとする。両アイリング加工５，５｀の少なくとも片方に、ベランダ手摺り８に固定するための固定用フック４を取り付けたものである。
【発明の効果】
【０００６】  中空パイプ１に飛来した鳩が止った瞬間、鳩自身の自重で、底付き穴６，６｀に設けられた穴の中で中空パイプ１が空転するため、バランスを保つことができなくなる。又、一度体験した鳩は近寄らなくなり、再度飛来しても中空パイプ１が回転するために学習出来ず、再度飛来する事を防ぐ事が出来る。【０００７】  ブラケット２，２｀はＬ型又は逆Ｔ字型形状をなし、ベランダ手摺りに結束バンド９で取り付け易くするのが望ましい。この場合には、Ｌ型又は逆Ｔ字型形状のブラケット２，２｀を結束バンド９でベランダ手摺りに容易かつ簡単に取り付けする事ができる。【０００８】  笠木仕様のベランダ手摺り１２に取り付け得るように、ブラケット２，２｀の裏面に粘着両面テープ１０を備えておくと良い。このようにした場合には、粘着両面テープ１０を利用してブラケット２，２｀を笠木仕様のベランダ手摺り１２に簡単に取り付けする事が出来る。
【図面の簡単な説明】
【０００９】
【図１】  本発明による鳩害防止装置の実施の一例を示す斜視図である。
【図２】  本発明の基本構成を示す斜視図である。
【図３】  本発明による営巣及びフン害防止用手摺りの実施状態を示す断面図である
【図４】  本発明のＬ型ブラケットの構造図であり（ａ）は一方のブラケットの断面図  （ｂ）はＡ方向から見た図  （ｃ）はＢ方向から見た図
【図５】  市販結束バンドでブラケットをベランダ手摺りに固定した状態を示す側面図。
【図６】  粘着両面テープでブラケットを笠木仕様のベランダ手摺り固定した状態を示す側面図。
【発明を実施するための形態】
【００１０】以下、本発明を実施するための形態について説明する。本発明による鳩害防止用装置のサイズは、例えば１ｍ、１．１ｍ、１．２ｍ、などに寸法決めし、カットされた中空パイプ１と、この中空パイプ１を両端で支持するブラケット２，２｀とからなっている。両ブラケット２，２｀には中空パイプの径より大きい底付き穴６，６‘が形成されている。前記底付き穴６，６‘の底には小穴７，７｀を１ヶ所設け、落下防止用ワイヤーロープ３の通し穴とする。そして両小穴７，７｀に落下防止用ワイヤーロープ３を貫通させる、落下防止用ワイヤーロープ３の両端部はアイリング加工５，５｀を施し抜け防止とする。両アイリング加工５，５｀の少なくとも片方にベランダ手摺り８に固定するための固定用フック４を取り付ける。手摺り金物があるベランダにはブラケット２，２｀の座の部分を結束バンド９で手摺り又は洗濯竿受け金物１１等に固定する。笠木仕様のベランダ手摺り１２には粘着両面テープ１０で接着し、固定すると良い。
本発明装置は規定寸法にカットされ、必要部材が一体型となっているので店頭販売も可能である。
【符号の説明】
【００１１】１    １ｍ、１．１ｍ、１．２ｍ、などに寸法決めし、カットされた中空パイプ
２    ブラケット
３    落下防止用ワイヤー
４    同上固定用フック
５    落下防止用ワイヤー端部アイリング
６    ブラケット部中空パイプ用底付き穴
７    落下防止用ワイヤー貫通穴
８    ベランダ手摺り金物
９    結束バンド
１０  粘着両面テープ
１１  洗濯竿受け金物
１２  笠木仕様のベランダ手摺り
【図１】
2019106978.tif 000003
【図２】
2019106978.tif 000004
【図３】
2019106978.tif 000005
【図４】
2019106978.tif 000006
【図５】
2019106978.tif 000007
【図６】
2019106978.tif 000008